(57)【特許請求の範囲】
【請求項１】
外装ケース内に収納され外部の機器との間で無線信号を送受信可能なアンテナの電波送受信感度を調整する感度調整装置であって、
前記アンテナを保持するモジュールと、
電波の透過を妨げる電波遮蔽材料で環状に形成され、前記モジュールの上方であって前記アンテナを覆う位置に配置されるとともに、その環状中心を中心として回転可能に設けられる内転リングと、
前記外装ケースの側面において内外を貫通して設けられるとともに、前記内転リングを回転させる回転操作部と、
を備え、
前記内転リングは、前記内転リングの周方向の一部に電波を透過させる開放部である切り欠き部又は孔部を備え、前記遮蔽部に覆われる前記アンテナの被遮蔽範囲を調整することを特徴とする感度調整装置。
【請求項２】
前記遮蔽部は、前記アンテナを被覆する大きさで形成されており、
前記電波送受信感度は、前記内転リングの回転によって前記アンテナが前記遮蔽部に覆われた場合に、低くなることを特徴とする請求項１に記載の感度調整装置。
【請求項３】
前記遮蔽部は、前記内転リングの裏面側に磁性体を貼付することにより構成されていることを特徴とする請求項１又は請求項２に記載の感度調整装置。
【請求項４】
前記内転リングは、その周方向の一部に他の部分よりも厚く形成された肉厚部を有し、
前記遮蔽部は、前記内転リングにおける前記肉厚部であることを特徴とする請求項１から３のいずれか一項に記載の感度調整装置。
【請求項５】
請求項１から請求項４のいずれか一項に記載の感度調整装置と、
前記感度調整装置により電波送受信感度を調整されるアンテナと、
前記アンテナ、前記モジュール及び前記内転リングを収納する外装ケースと、
を備えることを特徴とする腕時計。
【請求項６】
外部の機器との間で無線信号を通信するアンテナと、
前記アンテナを覆う位置に配置され、その環状中心を中心として回転可能に設けられる内転リングと、
を備え、
前記内転リングは、電波の透過を妨げる電波遮蔽材料で形成され、前記内転リングの一部に切り欠き部又は孔部を有することを特徴とする感度調整装置。
【発明の詳細な説明】
【技術分野】
【０００１】
本発明は、感度調整装置及びこれを適用した腕時計に関するものである。
【背景技術】
【０００２】
近年、無線通信機能を備える腕時計等の電子機器間において、無線方式によってデータのやり取りをしたり、情報の同期を取ったりする等、各種データの送受信（通信）を行う手法が浸透しつつある。
こうした無線通信によって送受信されるデータには個人情報も多く含まれる可能性がある。このため、個人のプライバシー等を保護するためにも、データの送受信は特定の電子機器から特定の電子機器に対して正確に行われる必要がある。
【０００３】
しかし、身の回りに複数の電子機器がある場合、他の電子機器との干渉が起こって目的の電子機器との間で正確に無線通信を行うことができないおそれがある。特にBluetooth（登録商標）など波長の長い電波を取り扱う際には、障害物等に強く電波が遮断されにくいという性質があるために、他の電子機器との干渉を起こしやすい。
【０００４】
従来、無線通信システムにおいて、他の電子機器との干渉を避けて、通信を行いたい電子機器同士を適切にペアリング（すなわち、初期の認識作業）する方法として、ペアリングしたい電子機器（電子デバイス）を互いに近傍となる位置に配置するとともに、一方の電子機器から、無線通信システムにおける標準の信号出力電力レベルよりも小さい電力レベルに制限された問い合わせ信号を送信し、他方の電子機器がこの問い合わせ信号を検出すると、これに対する応答信号を送信する。そして、当該電子機器が問い合わせ信号に応答する最初の電子機器であることに基づいて、双方の電子機器間で、ポイントツーポイント接続を開始するという手法が提案されている（例えば、特許文献１参照）。
【０００５】
このような手法でペアリングを行った場合には、他の電子機器との干渉を避けて目的とする電子機器間でのみ通信を成立させ、適切にペアリングを行うことができる。
【先行技術文献】
【特許文献】
【０００６】
【特許文献１】特表２００７−５３６８５２号公報
【発明の概要】
【発明が解決しようとする課題】
【０００７】
しかしながら、電子機器間でデータの送受信を行う目的は様々であり、ペアリングを行う場合のように電子機器同士を接触させる程度に近接させて通信を行う場合の他、例えばユーザ自身が身に着けている携帯端末装置と腕時計等の電子機器との間で各種データの送受信を行う場合のように多少離れた位置にある電子機器間でデータの送受信を行う場合や、ユーザが手元から離してしまった電子機器の所在を捜索する場合のようにある程度離れた場所にあると想定される電子機器との間で送受信を行う必要がある場合もある。
【０００８】
このため、電子機器間でデータの送受信する際の電波の送受信感度は、その目的・用途・状況等に応じて適宜切り替えられることが求められる。
【０００９】
この点、携帯電話やパーソナルコンピュータ（personal computer）等では、受信回路等、通信関連モジュールにおいて送受信感度の切り替えを行っている。
しかし、通信関連モジュールにおいて送受信感度の切り替えを行う場合、通信関連モジュールの制御構成が複雑化する等の問題がある。
【００１０】
本発明は以上のような事情に鑑みてなされたものであり、簡易な機構により、用途に応じた感度となるようにアンテナの送受信感度を調整することのできる感度調整装置及びこれを適用した腕時計を提供することを目的とするものである。
【課題を解決するための手段】
【００１１】
前記課題を解決するために、本発明に係る感度調整装置は、
外装ケース内に収納され外部の機器との間で無線信号を送受信可能なアンテナの電波送受信感度を調整する感度調整装置であって、
前記アンテナを保持するモジュールと、
電波の透過を妨げる電波遮蔽材料で環状に形成され、前記モジュールの上方であって前記アンテナを覆う位置に配置されるとともに、その環状中心を中心として回転可能に設けられる内転リングと、
前記外装ケースの側面において内外を貫通して設けられるとともに、前記内転リングを回転させる回転操作部と、
を備え、
前記内転リングは、前記内転リングの周方向の一部に電波を透過させる開放部である切り欠き部又は孔部を備え、前記遮蔽部に覆われる前記アンテナの被遮蔽範囲を調整することを特徴としている。
【発明の効果】
【００１２】
本発明によれば、アンテナの電波送受信感度を通信モードに適した感度に調整する手法として内転リングを回転させて遮蔽部により覆われるアンテナの被遮蔽範囲を調整するという機械的な構成をとっているため、受信回路等、通信関連モジュールにおいて送受信感度の切り替えを行う場合と比較して、アンテナの電波送受信感度の調整にかかる電力消費量を抑えることができるという効果を奏する。
【図面の簡単な説明】
【００１３】
【図１】本実施形態における感度調整装置を適用した腕時計の正面図である。
【図２】図１の腕時計におけるII−II線断面図である。
【図３】図１の腕時計におけるIII−III線断面図である。
【図４】図２における内転リング及び竜頭とその周辺を拡大した要部断面図である。
【図５】図３における内転リング及びアンテナとその周辺を拡大した要部断面図である。
【図６】本実施形態における内転リングを示す平面図である。
【図７】本実施形態における内転リングと竜頭とを示す斜視図である。
【図８】アンテナの送受信感度が低い状態となる場合の内転リングの配置を示した腕時計の平面図である。
【図９】アンテナの送受信感度が高い状態となる場合の内転リングの配置を示した腕時計の平面図である。
【図１０】内転リングの一変形例を示す平面図である。
【図１１】アンテナの送受信感度が低い状態となる場合の図１０に示す内転リングの配置を示した腕時計の平面図である。
【図１２】アンテナの送受信感度が高い状態となる場合の図１０に示す内転リングの配置を示した腕時計の平面図である。
【図１３】内転リングの一変形例を示す斜視図である。
【図１４】アンテナの送受信感度が低い状態となる場合の図１３に示す内転リングの配置を示した腕時計の平面図である。
【図１５】アンテナの送受信感度が高い状態となる場合の図１３に示す内転リングの配置を示した腕時計の平面図である。
【図１６】内転リングの一変形例を示す斜視図である。
【発明を実施するための形態】
【００１４】
以下、図１から図９を参照しつつ、本発明に係る感度調整装置及びこれを備える腕時計の好適な実施形態について説明する。なお、以下では、本発明に係る感度調整装置を電波通信機器としての機能を備える腕時計に適用した場合について説明するが、感度調整装置を適用可能な実施形態はこれに限定されるものではない。
【００１５】
図１は、本実施形態に係る腕時計の正面図であり、図２は、図１におけるII−II線に沿う断面図であり、図３は、図１におけるIII−III線に沿う断面図である。
本実施形態に係る腕時計１００は、電気的な駆動により図示しない指針（秒針、分針、時針）を回転させて時刻を表示するものである。なお、図１から図３では、指針等について図示を省略している。
【００１６】
この腕時計１００は、中空の短柱形状に形成された外装ケース１を備えている。本実施形態において外装ケース１は、例えばステンレス、チタニウム等の金属材料によって形成されている。なお、外装ケース１は、金属材料で形成されているものに限定されず、例えば樹脂等により形成されているものであってもよい。
【００１７】
この外装ケース１の上下両端部（図１において上下端部）、つまり時計の１２時方向側端部及び６時方向側端部には、時計バンド（図示せず）が取り付けられるバンド取付部１１が形成されている。
また、外装ケース１は、表面側（図２及び図３において上側）の開口部と、裏面側（図２及び図３において下側）の開口部とを有している。そして、外装ケース１の表面側の開口部には、透明なガラス等の材料で形成された風防部材２が図示しない防水リング等を介して表面側の開口部を閉塞するように取り付けられている。一方、外装ケース１の裏面側の開口部には、裏蓋部材３が図示しない防水リング等を介して裏面側の開口部を閉塞するように取り付けられている。
【００１８】
外装ケース１の側面には、外装ケース１の内部に貫通する貫通孔１２（図２及び図４参照）が形成されている。なお、本実施形態では、貫通孔１２は、腕時計１００における３時方向の側面に形成されている場合を例としているが、貫通孔１２が設けられる位置はこれに限定されない。例えば９時方向の位置や４時方向の位置に貫通孔１２が設けられていてもよい。
【００１９】
図４は、外装ケース１の貫通孔１２及びその周辺の要部を示す断面斜視図である。
図２及び図４に示すように、貫通孔１２には、中空の筒状部材１３が外装ケース１の外部から内部に挿通されている。筒状部材１３の一端には、貫通孔１２の内径よりも大きい外径を有するフランジ部１３１が形成されており、筒状部材１３を貫通孔１２内に挿入した際にこのフランジ部１３１が外装ケース１の外側に突出するようになっている。
【００２０】
図４に示すように、外装ケース１の側部であって貫通孔１２の設けられている側には、この外装ケース１の側面において内外を貫通して設けられるとともに、後述する内転リング７を回転させる回転操作部である竜頭８が設けられている。
竜頭８は、軸部材８１と、この軸部材８１の一端側に形成され、筒状部材１３の内径よりも大きな径を有する竜頭トップ８２とを備えている。
【００２１】
軸部材８１は、筒状部材１３を介して貫通孔１２に挿入され、外装ケース１の外部から内部に挿通するものである。軸部材８１は、外径が貫通孔１２内の筒状部材１３の内径とほぼ等しく形成されており、軸部材８１の中央部近傍には、軸部材８１の外周面に沿って周溝が形成されている。
この周溝内には、Ｏリング等のリング状の封止部材であるシールリング８３が嵌め込まれている。シールリング８３は、例えば各種の樹脂等で形成されている。なお、シールリング８３を形成する材料はこれに限定されない。
竜頭８を回転操作した際には、シールリング８３は軸部材８１と共に回転し、筒状部材１３の内周面に密着しながら周方向に摺動する。これにより、軸部材８１と外装ケース１の筒状部材１３との間の気密性が確保されるようになっている。
【００２２】
また、竜頭トップ８２の内側（すなわち、外装ケース１の側面と対向する側）には、軸部材８１の外周に沿って溝部８１１が形成されており、筒状部材１３のフランジ部１３１がこの溝部８１１内に収容されるようになっている。
この溝部８１１の奥側には、Ｏリング等のリング状の封止部材であるシールリング８４が嵌め込まれており、筒状部材１３と竜頭トップ８２との間の気密性が確保されるようになっている。シールリング８４は、例えば各種の樹脂等で形成されている。なお、シールリング８４を形成する材料はこれに限定されない。
【００２３】
軸部材８１の挿通側端部近傍には、後述する内転リング７を回転させるためのリング駆動歯車（ピニオン）８５が設けられている。リング駆動歯車８５は、圧入等により軸部材８１に固定されている。
【００２４】
また、軸部材８１の挿通側先端部には、軸部材８１の外周面に沿って係止溝が形成されている。この係止溝には、軸部材８１が外装ケース１から抜け落ちるのを防止する抜止め部材８６が係止されている。抜止め部材８６としては、例えば筒状部材１３の内径よりも大きい径を有するＥ形リング等を用いることができる。なお、抜止め部材８６は、軸部材８１が外装ケース１から抜け落ちるのを防止可能なものであればよく、Ｅ形リングに限定されない。
【００２５】
外装ケース１の内部には、ほぼ円柱形状に形成されたモジュール４が配置されている。なお、モジュール４の形状は円柱形状に限定されない。モジュール４は、腕時計１００の指針（図示せず）を運針させる時計ムーブメント（例えば駆動用のモータや輪列機構等。図示せず）、各種電子部品を実装した回路基板（図示せず）等が例えば樹脂等によって形成されたハウジング（図示せず）に組み込まれたものである。
【００２６】
図３及び図５に示すように、本実施形態では、モジュール４の上側（腕時計１００における表面側）であって、モジュール４の周縁部における腕時計のほぼ６時方向にあたる位置（図１における下側位置）に、チップ状又はループ状の小型のアンテナ５が配置されている。
アンテナ５は、例えば接着固定等によりモジュール４上に保持されている。なお、アンテナ５は、モジュール４の表面に貼着されていてもよいし、モジュール４内に埋設されていてもよい。また、アンテナ５の配置される位置はここに例示したものに限定されず、他の位置であってもよい。
【００２７】
アンテナ５は、外部の機器との間で無線信号を送受信可能なものであり、例えばBluetooth（登録商標）等の規格により通信を行う。なお、アンテナ５の通信規格、通信可能な周波数帯は、Bluetooth（登録商標）に限定されず、腕時計１００によって行われる各種通信に適したもの（すなわち、周波数等が適合するもの）が適宜適用される。また、アンテナ５は小型のものであればよく、種類、形状は特に限定されない。また、後述するように、本実施形態では、アンテナ５として、最大で５ｍ程度の範囲内に存する機器との間で信号の送受信を行うことのできる電波送受信感度のものを適用しているが、アンテナ５の電波送受信感度はこれに限定されず、感度を最大としたときにさらに離れた機器との間で信号の送受信を行うことのできるものを用いてもよい。
このアンテナ５は、図示しないコネクタ等を介して回路基板と電気的に接続されており、このコネクタを介して、図示しない電波送受信制御回路と接続されている。
なお、本実施形態では、アンテナ５及び図示しない送受信制御回路自体は、常に最大の電波送受信感度（例えば本実施形態ではアンテナ５から５ｍ程度の範囲内で電波を送受信可能な電波送受信感度）が維持されており、感度調整装置１０（図２参照）によるアンテナ５の被遮蔽範囲を変えることで電波送受信感度を機械的構成により調整するようになっている。
【００２８】
外装ケース１内であって、上記風防部材２とモジュール４との間には文字板６が配置されている。なお、風防部材２とモジュール４との間にはアナログ方式の文字板６の他に数字や文字等をデジタル方式で表示する液晶表示部等が設けられていてもよい。
また、この文字板６の上、すなわちモジュール４の上方には、環状（リング状）に形成された内転リング７が、その環状中心を中心として回転可能に設けられている。
内転リング７は、例えば樹脂等、電波を透過可能な材料により形成されており、その一部がモジュール４の上に保持されているアンテナ５の上を覆うように配置されている。なお、回転ベゼル７を形成する材料は樹脂に限定されない。
【００２９】
図６は、内転リング７を裏面側（モジュール４に対向する側、すなわち腕時計１００の裏蓋３側）から見た平面図である。
図６に示すように、内転リング７の裏側の面には、内転リング７の内周縁に沿って磁性シート７２が貼付されている。磁性シート７２は、例えばフェライト等の磁性材料や磁性粉を含有する材料をシート状に加工した磁性体である。
本実施形態において、磁性シート７２は、リング状に形成されたシートの一部が切り欠かれたほぼＣ字型となっている。
磁性シート７２は、アンテナに入射しようとする電波を磁性材料の磁気損失により吸収して電波の透過を妨げるものであり、内転リング７のうち、磁性シート７２が貼付されている部分は電波の透過を妨げる遮蔽部となり、磁性シート７２が貼付されていない部分（すなわち、磁性シート７２が切り欠かれている部分）は電波を透過させる開放部７４となっている。
【００３０】
内転リング７の表側（視認側、すなわち腕時計１００の風防部材２に対向する側）の面には、外周側から内周側に向かうにしたがって、風防部材２側から裏蓋３側に傾斜する傾斜面で構成された情報表示面７１が形成されている。この情報表示面７１には、例えば周方向に沿って等間隔で６０分割される目盛等（図示せず）が形成されており、この目盛に指針を合わせることにより所定時刻からの経過時間を計測可能なタイマー等として内転リング７を機能させることができる。なお、内転リング７の情報表示面７１に形成される目盛等はここに例示したものに限定されない。情報表示面７１に複数の目盛等を形成して、複数の情報を表示可能としてもよい。
【００３１】
また、内転リング７の表側の面であって、開放部７４に対応する位置には、当該部分が電波を透過させる開放部７４であることを示す感度指標７３（図１参照）が付されている。なお、感度指標７３は、例えば、内転リング７上に印刷、貼着、蒸着、彫刻等の手段により形成される。
このように感度指標７３を設けることにより、ユーザは感度指標７３の位置を見ることによって、腕時計１００の視認側から目視にて容易に遮蔽部及び開放部７４の位置を確認することができる。
【００３２】
図６に示すように、内転リング７の裏面側であって、内転リング７の外周縁に沿う位置には、その周方向に沿ってラック（歯車）７５が形成されている。このラック７５は、各歯が下方向に向かって突出しており、竜頭８の軸部材８２に設けられている上述のリング駆動歯車８５と噛み合うようになっている。
【００３３】
図７は、内転リング７とこれに噛み合うリング駆動歯車８５を有する竜頭８とを示す斜視図である。
図７に示すように、内転リング７のラック７５には、下側から竜頭８のリング駆動歯車８５が接続され、ラック７５とリング駆動歯車８５とが噛み合うようになっている。そして、両者が噛み合った状態で竜頭８を回転操作することにより、回転操作部である竜頭８の軸部材８２の軸中心を中心とする回転力がリング駆動歯車８５を介して内転リング７に伝達され、内転リング７を所定方向（時計回り又は反時計回り）に回転させることができるようになっている。
【００３４】
前述のように、内転リング７は、磁性シート７２が貼付されている部分である遮蔽部と、磁性シート７２が貼付されていない部分である開放部７４とを備えており、回転操作部である竜頭８を操作することにより内転リング７がその環状中心を中心として（すなわち、本実施形態では、ほぼ円柱形状に形成されているモジュール４の周方向に沿って）回転すると、これにより遮蔽部及び開放部７４の位置が変更され、遮蔽部により覆われるアンテナ５の被遮蔽範囲を調整することができるように構成されている。
アンテナ５の被遮蔽範囲の調整について、図８及び図９を参照して説明する。図８及び図９は、腕時計１００から裏蓋３、モジュール４等を取り外した状態を腕時計１００の裏面側から見た図であり、モジュール４及びアンテナ５を二点鎖線で表している。
【００３５】
竜頭８を操作して、図８に示すように、遮蔽部（すなわち磁性シート７２が貼付されている部分）がアンテナ５の配置されている位置（すなわち、腕時計１００における６時方向の位置）の上方に来るように内転リング７を回転させると、アンテナ５の上方が磁性シート７２によって覆われるため（すなわち、アンテナ５の被遮蔽範囲が広くなるため）、アンテナ５に入射しようとする電波が磁性シート７２によって吸収され、アンテナ５の電波送受信感度は低くなる。
また、竜頭８を操作して、図９に示すように、開放部７４（すなわち磁性シート７２が貼付されていない部分）がアンテナ５の配置されている位置（すなわち、腕時計１００における６時方向の位置）の上方に来るように内転リング７を回転させると、アンテナ５の上方が磁性シート７２によって覆われないため（すなわち、アンテナ５の被遮蔽範囲がなくなるため）、アンテナ５に入射しようとする電波がアンテナ５に入りやすくなり、アンテナ５の電波送受信感度は高くなる。
【００３６】
なお、本実施形態では、アンテナ５を保持するモジュール４と、このモジュール４の上方であってアンテナ５を覆う位置に配置された内転リング７と、内転リング７を回転させる回転操作部としての竜頭８とにより、アンテナ５の電波送受信感度を調整する感度調整装置１０が構成されている。
【００３７】
この他、腕時計１００は、例えば、各種モード切り替え等を行うための入力操作部、ＣＰＵ（Central Processing Unit）、ＲＯＭ（Read Only Memory）、ＲＡＭ（Random Access Memory）、等から構成される制御部、電波の送受信を制御する送受信制御回路部、時刻補正等を行う計時回路部、発振回路部、指針を駆動させる指針駆動回路部等を備えている。これらは、一般的な腕時計に設けられているものと同様のものであるため、図示及び説明を省略する。
【００３８】
次に、本実施形態における感度調整装置１０及び電波通信機器である腕時計１００の作用について説明する。
【００３９】
本実施形態において、腕時計１００は、感度調整装置１０によってアンテナ５の被遮蔽範囲を調整することにより、アンテナ５の電波送受信感度を調整できるようになっている。
すなわち、腕時計１００は、異なる電波送受信感度の下で実現される複数の通信モード（本実施形態では後述する「ペアリングモード」「データ同期モード」「端末捜索モード／忘れ物防止モード」）を実現可能となっており、感度調整装置１０は、これら各通信モードに適した電波送受信感度となるようにアンテナ５の被遮蔽範囲を調整する。
なお、通信モードの種類はこれに限定されない。「データ同期モード」「端末捜索モード／忘れ物防止モード」のうちいずれか１つのみを有するものであってもよいし、これら３つの通信モード以外の通信モードを実現可能となっていてもよい。
【００４０】
このうち、ペアリングモードは、例えばユーザが腕時計１００と新たな端末装置（例えば友人の端末装置等）との間で新たにペアリングを成立させ（すなわち、端末装置間において相互に関連付けを行う初期の登録作業を行い）、データの送受信等ができる状態にするための通信モードである。例えば腕時計１００と新たな端末装置である友人の携帯電話との間でペアリングを行う場合には、腕時計１００からペアリングしたい端末装置に対して問合せ信号を送信し、送信先の端末装置からこの問合せ信号に対する応答信号が腕時計１００に送信され、腕時計１００のアンテナ５がこの応答信号を受信して制御部に送ると、腕時計１００と当該端末装置との間でペアリングが成立する。
【００４１】
ペアリングを行う際には、周囲に存する他の端末装置との間で予期せぬペアリングが成立することのないように、腕時計１００と端末装置とが接触又はそれに近い距離まで接近した場合にのみ電波の送受信が可能な程度までアンテナ５の電波送受信感度が低くなるように調整することが好ましい。
このため、本実施形態では、入力操作部等からペアリングモードを選択する指示が入力されペアリングモードで通信を行う場合には、内転リング７の遮蔽部である磁性シート７２が貼付されている部分がアンテナ５の上方に位置するように内転リング７を回転させ、アンテナ５の電波送受信感度が低くなるように調整する。
具体的には、ユーザが竜頭８を回転操作することにより、開放部７４に対応して設けられている感度指標７３が腕時計１００の６時位置以外に配置される位置まで内転リング７を回転させ、遮蔽部（磁性シート７２が貼付されている部分）がアンテナ５の上方を覆う位置にくるように調整する（図８参照）。
この状態で、ユーザがペアリングの対象となる端末装置を腕時計１００に接触又は１０ｃｍ程度の距離まで近接させると、腕時計１００のアンテナ５からペアリングのための問合せ信号（例えば腕時計１００の個体識別番号等を含む信号）が送信され、この問合せ信号を受信可能な距離にある端末装置のみが当該信号を受信する。問合せ信号を受信した端末装置は応答信号（例えば当該端末装置の個体識別番号等を含む信号）を腕時計１００に返信し、腕時計１００のアンテナ５がこの応答信号を受信すると、当該応答信号が制御部に送られ、制御部は当該端末装置を以後腕時計１００との間でデータの送受信が可能な端末装置として登録する。これによりペアリング（端末装置間の初期登録作業）が完了する。
【００４２】
なお、ペアリングが成立したか否かは、文字板６上での指針や液晶表示部等におけるその旨の表示、図示しないライトの点滅、アラーム音等によりユーザに報知されるようにすることが好ましい。
また、アンテナ５の電波送受信感度の低い状態（すなわち、磁性シート７２がアンテナ５の上方を覆っている状態）では目的の端末装置との間で適切にペアリングを成立させることができなかった場合（すなわち、ペアリングが成立していない旨の表示等がされた場合）には、ユーザが竜頭８を回転操作して、感度指標７３が腕時計１００の６時位置に配置される位置まで内転リング７を回転させ、開放部７４（磁性シート７２が貼付されていない部分）がアンテナ５の上方を覆う位置にくるように調整した上で、再度ペアリングを試みるようにしてもよい。
【００４３】
これに対して、データ同期モードは、例えば既に腕時計１００との間でペアリングが成立している端末装置であって、ユーザが身につけている端末装置等（例えば、ユーザの所持している図示しない携帯電話）、腕時計１００の比較的近距離（例えばアンテナ５からの距離が１〜２ｍ程度の範囲内）に位置する端末装置との間でデータの同期を図ることを想定した通信モードである。
また、端末捜索モードは、例えばユーザが腕時計１００との間でペアリング済みである自己又は友人の端末装置等の場所を捜索する場合を想定した通信モードであり、忘れ物防止モードは、例えばユーザが腕時計１００との間でペアリング済みである自分の端末装置から所定の距離（例えば５ｍ程度）以上離れたときに、ブザー等により警告を発することを想定した通信モードである。
【００４４】
これらはいずれも、既に腕時計１００との間でペアリングが成立している端末装置との間で行われる通信であるため、予期しない端末装置との間で通信が成立するおそれはない。
このため、本実施形態では、入力操作部等から「データ同期モード」又は「端末捜索モード／忘れ物防止モード」を選択する指示が入力されこれらの通信モードで通信を行う場合には、内転リング７の開放部７４である磁性シート７２が貼付されていない部分がアンテナ５の上方に位置するように内転リング７を回転させ、アンテナ５の電波送受信感度が高くなるように調整する。
具体的には、ユーザが竜頭８を回転操作することにより、開放部７４に対応して設けられている感度指標７３が腕時計１００の６時位置に配置される位置まで内転リング７を回転させ、開放部７４（磁性シート７２が貼付されていない部分）がアンテナ５の上方位置にくるように調整する（図９参照）。
これにより、腕時計１００は、アンテナ５が多少離れた距離にある端末装置との間で電波を送受信することのできる状態となり、例えばユーザが身に付けている携帯電話等との間でデータの送受信を行うことにより、相互のデータを同期させることができる。また、例えば端末捜索モードであれば、腕時計１００から５ｍ程度の範囲内に存するペアリング済みの端末装置に対して、腕時計１００のアンテナ５から応答を要求する信号が送信され、端末装置がこの信号を受信して応答信号を腕時計１００に送信すると、その旨がブザー等の音やライトの点滅等によりユーザに報知される。また、例えば忘れ物防止モードであれば、腕時計１００のアンテナ５からペアリング済みの端末装置に対して応答を要求する信号が送信され、端末装置はこの信号を受信して応答信号を腕時計１００に送信する。そして、端末装置からの応答信号が受信できなくなると、腕時計１００の制御部は端末装置が所定の距離（本実施形態ではアンテナ５の電波送受信可能な範囲である５ｍ）以上ユーザから離間したと判断して、その旨をブザー等の音やライトの点滅等によりユーザに報知する。
【００４５】
以上のように、本実施形態によれば、異なる電波送受信感度の下で実現される複数の通信モード（例えばペアリングモード、データ同期モード、端末捜索モード／忘れ物防止モード）を実現可能であるため、ユーザの目的・用途に応じた各種の通信を行うことができる。
そして、アンテナ５の電波送受信感度をこれらの通信モードに適した感度に調整する手法として内転リング７を回転させて遮蔽部により覆われるアンテナ５の被遮蔽範囲を調整するという機械的な構成をとっているため、受信回路等、通信関連モジュールにおいて電波送受信感度の切り替えを行う場合と比較して、アンテナ５の電波送受信感度の調整にかかる電力消費量を抑えることができる。
また、腕時計１００の場合、小型・軽量化が求められ、大型のバッテリを収容するスペースを確保することが難しいが、本実施形態における腕時計１００は、アンテナ５を保持するモジュール４と、このモジュール４の上方であってアンテナ５を覆う位置に配置された内転リング７と、内転リング７を回転させる回転操作部としての竜頭８とにより構成される感度調整装置１０を備えており、機械的な構成によりアンテナ５の電波送受信感度を調整することができる。このため、通信関連モジュールにおいて電波送受信感度の切り替えを行う場合と比較して電力消費量を抑えることができ、大型のバッテリ等を備える必要がないため、装置の小型・軽量化を図ることができる。
また、遮蔽部と開放部７４とを有する内転リング７を回転させることによりアンテナ５の電波送受信感度を調整することができるため、新たに電波送受信感度を調整するための部材を設けることなく通信モードに適した感度の調整を行うことが可能であり、装置構成の簡易化、小型・軽量化を実現することができる。
また、遮蔽部は、内転リング７の裏面側に磁性体である磁性シート７２を貼付することにより構成されているため、既存の規格の内転リング７を容易に流用することができ、生産コストを低く抑えることが可能である。
【００４６】
なお、本実施形態では、磁性体である磁性シート７２がほぼＣ字型に配置される場合を例としたが、磁性シート７２の形状や配置はこれに限定されない。
例えば、図１０に示すように、ラック９１５を備える内転リング９１の裏面側の一部分のみに、アンテナ５を被覆することのできる大きさの磁性シート９１２を貼付してもよい。この場合には、磁性シート９１２が貼付されている部分が遮蔽部となり、それ以外の部分が開放部９１４となる。
したがって、ペアリングを行う際（すなわち「ペアリングモード」のとき）には、図１１に示すように、磁性シート９１２が貼付されている部分がアンテナ５を被覆する位置まで内転リング９１を回転させる。これによりアンテナ５の電波送受信感度をペアリングに適した感度まで低下させることができる。そして、図１１に示す状態において端末装置間のペアリングが成立しなかったとき、又はペアリングが成立している端末装置同士でデータを同期させたり（すなわち「データ同期モード」のとき）、ペアリングが成立している端末の捜索等を行う場合（すなわち「端末捜索モード／忘れ物防止モード」のとき）には、図１２に示すように、磁性シート９１２が貼付されていない部分がアンテナ５の上に位置するように内転リング９１を回転させる。これにより離れた場所にある端末装置間でも電波の送受信が可能な程度までアンテナ５の電波送受信感度を高くすることができる。
【００４７】
また、本実施形態では、磁性体が内転リング７に貼付された磁性シート７２である場合について説明したが、磁性体はシート状のものでなくてもよい。例えば、内転リング７の一部に磁性体を埋め込むことにより遮蔽部を形成してもよい。
【００４８】
また、本実施形態では、内転リング７において、磁性体である磁性シート７２が貼付されている部分が遮蔽部となり、磁性シート７２が貼付されていない部分が開放部７４となる場合について説明したが、遮蔽部及び開放部の構成はこれに限定されない。
例えば、図１３に示すように、裏面側にラック９２５を備える内転リング９２自体を電波の透過を妨げる電波遮蔽材料で形成し、この内転リング９２の一部に切り欠き部９２２を設けてもよい。電波遮蔽材料とは、例えば電波を吸収する電波吸収体等、電波の透過を妨げることのできる材料であり、具体的には、例えば、磁性材料や磁性粉を含有する材料を所定の形状に成型したり、所定の形状に成型された基材に磁性シートを貼付することにより形成する。この場合には、切り欠き部９２２が開放部となり、それ以外の部分が遮蔽部９２１となる。
したがって、ペアリングを行う際には、図１４に示すように、切り欠き部９２２以外の部分がアンテナ５を被覆する位置まで内転リング９２を回転させる。これによりアンテナ５の電波送受信感度をペアリングに適した感度まで低下させることができる。そして、図１４に示す状態において端末装置間のペアリングが成立しなかったとき、又はペアリングが成立している端末装置同士でデータを同期させたり、ペアリングが成立している端末の捜索等を行う場合には、図１５に示すように、切り欠き部９２２がアンテナ５の上に位置するように内転リング９１を回転させる。これにより離れた場所にある端末装置間でも電波の送受信が可能な程度までアンテナ５の電波送受信感度を高くすることができる。
なお、内転リングに設けられる開放部は切り欠き部９２２に限定されず、例えば内転リングの一部に孔部を形成して、この孔部を開放部としてもよい。
このように内転リング９２自体を電波の透過を妨げる電波遮蔽材料で形成して、切り欠き部９２２や孔部が開放部となり、それ以外の部分が遮蔽部となる場合にも、機械的な構成によりアンテナ５の電波送受信感度を調整することができ、感度調整のために大型のバッテリ等を備える必要がないため、装置の小型・軽量化を図ることができる。
【００４９】
また、図１６に示すように、裏面側にラック９３５を備える内転リング９３の一部を他の部分よりも厚く形成された肉厚部９３２として、他の部分よりも電波が透過しにくいように構成してもよい。この場合には、肉厚部９３２が遮蔽部となり、それ以外の部分が開放部９３１となる。なお、肉厚部９３２の位置を示すために、図１６に示すように、内転リング９３の表面側であって、肉厚部９３２に対応する位置に、当該部分が遮蔽部であることを示す感度指標９３３が付されることが好ましい。
このように肉厚部９３２が遮蔽部となり、それ以外の部分が開放部９３１となる場合にも、機械的な構成によりアンテナ５の電波送受信感度を調整することができ、感度調整のために大型のバッテリ等を備える必要がないため、装置の小型・軽量化を図ることができる。
【００５０】
また、本実施形態では、遮蔽部に磁性体を配置して、磁性材料の磁気損失により電波を吸収することによって電波の透過を妨げる場合について説明したが、遮蔽部は電波の透過を妨げることができるものであればよく、その構成は磁気損失により電波を吸収するものに限定されない。
【００５１】
また、本実施形態においては、腕時計１００が指針を備えるアナログ式の腕時計である場合について説明したが、腕時計は、アナログ式に限定されない。例えば、液晶パネル等で構成された液晶表示部を備えるデジタル式の腕時計でもよいし、指針及び液晶表示部の双方を備える腕時計であってもよい。
【００５２】
また、本実施形態においては、竜頭８を操作することによって内転リング７を回転させるように構成したが、内転リング７を回転させる構成はこれに限定されない。例えば、竜頭８とは別個に内転リング７を回転させるための操作部材（回転操作部）を設けてもよい。
【００５３】
また、本実施形態では、竜頭８が、内転リングを回転させる機能を有する点のみについて説明したが、竜頭８の機能はこれに限定されない。
例えば、竜頭８を複数段階に引き出し可能に構成し、竜頭８が引き出された位置に応じて外装ケース１内の異なる歯車と噛み合い、内転リングの回転操作の他に、各種の異なる操作が可能となるようにしてもよい。この場合には、例えば、竜頭８を１段階引き出した状態では竜頭８に設けられた歯車が内転リング７と接続されて内転リング７を回転させることができ、竜頭８を２段階引き出した状態では竜頭８に設けられた歯車がモジュール４内の分針を回動させる輪列の一部に接続されて竜頭８を回転させるとその回転力が分針を回動させる輪列に伝達され、分針の位置調整、時刻合わせが可能となり、竜頭８を３段階引き出した状態では竜頭８に設けられた歯車がモジュール４内の日車に接続され、竜頭８を回転させると日車が回転して日付合わせが可能となる等の構成とする。
【００５４】
また、本実施形態では、「ペアリングモード」で通信を行う際にはアンテナ５の上に遮蔽部を位置させ、「データ同期モード」又は「端末捜索モード／忘れ物防止モード」で通信を行う際にはアンテナ５の上に開放部を位置させるというように、アンテナ５の電波送受信感度について２段階の調整を行う場合を例として説明したが、アンテナ５の電波送受信感度の調整は２段階に限定されない。
例えば、遮蔽部とアンテナ５との位置関係を段階的に調整することにより、アンテナ５全体が遮蔽される状態、アンテナ５が一部遮蔽される状態、アンテナ５全体が遮蔽されない状態のように、複数段階の調整ができるようにしてもよい。この場合には、ユーザは、「ペアリングモード」で通信を行う際に、アンテナ５全体が遮蔽される状態ではペアリングが成立しなかった場合に、ペアリングが成立するまでアンテナ５の電波送受信感度を段階的に上げていくことができる。
【００５５】
その他、本発明が本実施形態に限定されず、適宜変更可能であることはいうまでもない。
【００５６】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
外装ケース内に収納され外部の機器との間で無線信号を送受信可能なアンテナの電波送受信感度を調整する感度調整装置であって、
前記アンテナを保持するモジュールと、
環状に形成され、前記モジュールの上方であって前記アンテナを覆う位置に配置されるとともに、その環状中心を中心として回転可能に設けられる内転リングと、
前記外装ケースの側面において内外を貫通して設けられるとともに、前記内転リングを回転させる回転操作部と、
を備え、
前記内転リングは、電波の透過を妨げる遮蔽部と電波を透過させる開放部とを備え、前記回転操作部の操作により回転することにより前記遮蔽部及び前記開放部の位置を変更し、前記遮蔽部により覆われる前記アンテナの被遮蔽範囲を調整することにより、前記アンテナの電波送受信感度を調整可能であることを特徴とする感度調整装置。
＜請求項２＞
前記遮蔽部は、前記内転リングの裏面側に磁性体を貼付することにより構成されていることを特徴とする請求項１に記載の感度調整装置。
＜請求項３＞
前記内転リングは、電波の透過を妨げる電波遮蔽材料で形成されるとともに、前記内転リングの周方向の一部に切り欠き部又は孔部を有し、
前記開放部は、前記内転リングにおける前記切り欠き部又は前記孔部であることを特徴とする請求項１に記載の感度調整装置。
＜請求項４＞
前記内転リングは、その周方向の一部に他の部分よりも厚く形成された肉厚部を有し、
前記遮蔽部は、前記内転リングにおける前記肉厚部であることを特徴とする請求項１に記載の感度調整装置。
＜請求項５＞
請求項１から請求項４のいずれか一項に記載の感度調整装置と、
前記感度調整装置により電波送受信感度を調整されるアンテナと、
前記アンテナ、前記モジュール及び前記内転リングを収納する外装ケースと、
を備えていることを特徴とする腕時計。
【符号の説明】
【００５７】
１      外装ケース
４      モジュール
５      アンテナ
６      文字板
７      内転リング
８      竜頭
１０    感度調整装置
７２    磁性シート
７３    感度指標
７４    開放部
７５    ラック
８５    リング駆動歯車
１００  腕時計
【図１】
0005776359.tif 000002
【図２】
0005776359.tif 000003
【図３】
0005776359.tif 000004
【図４】
0005776359.tif 000005
【図５】
0005776359.tif 000006
【図６】
0005776359.tif 000007
【図７】
0005776359.tif 000008
【図８】
0005776359.tif 000009
【図９】
0005776359.tif 000010
【図１０】
0005776359.tif 000011
【図１１】
0005776359.tif 000012
【図１２】
0005776359.tif 000013
【図１３】
0005776359.tif 000014
【図１４】
0005776359.tif 000015
【図１５】
0005776359.tif 000016
【図１６】
0005776359.tif 000017